(57)【要約】　　　（修正有）【課題】自動車のウィンドガラスに付着した油膜を除去するガラス洗浄液改質装置の提供。【解決手段】一端側がウォッシャータンク６の洗浄液供給口７に係止される細長い屈曲可能な針金２と、ウォッシャータンク内に収納され針金の他端側に連結された通水性袋体３と、袋体内に収容された粒状電気石とからなり、袋体がウォッシャータンクの洗浄液に浸漬されて使用される自動車のためのウィンドガラス洗浄液改質装置である。【選択図】　図３
0003097914.tif 000002
【実用新案登録請求の範囲】
【請求項１】
自動車のウィンドガラスを洗浄するための洗浄液改善装置であって、一端側がウォッシャータンクの洗浄液供給口に係止される細長い屈曲可能な係止体と、上記ウォッシャータンク内に収納され上記係止体の他端側に連結された通水性袋体と、該袋体内に収容された粒状電気石とからなり、上記袋体が上記ウォッシャータンクの洗浄液に浸漬されて使用されるウィンドガラス洗浄液改質装置。
【請求項２】
上記係止体が屈曲可能な針金よりなる請求項１記載のウィンドガラス洗浄液改質装置。
【請求項３】
上記袋体が不織布、織布またはメッシュよりなる請求項１または２記載のウィンドガラス洗浄液改質装置。
【考案の詳細な説明】
【０００１】
【考案の属する技術分野】
本考案は、特に自動車のフロントウィンドガラス（あるいはリアウィンドガラス、以下同じ）表面に噴出され、ワイパー駆動により表面に付着した汚れ特に油膜を洗浄除去するガラス洗浄液改質装置に関する。
【０００２】
【従来の技術】
従来自動車のフロントウィンドガラスに、ウォッシャータンクに貯水された洗浄液をポンプにて噴出し、ワイパーを駆動することにより、付着した汚れ特に油膜を洗浄して良好な視界を維持する操作がなされる。油膜の除去は洗剤（界面活性剤）を混入した洗浄液を使用することが一般的である。
【０００３】
例えば特許文献１には、ワイパーブレード用洗浄液に、液状グリコール、液状グリセリン等の多価アルコールを加えて、その動作を滑らかにすると同時に界面活性剤を添加することにより油汚れを除去する旨記載されている。
【０００４】
また水噴射により自動車の表面を洗浄する装置は、例えば特許文献２に開示されている。この文献には、洗車用の水活性タンク内に電気石（トルマリン）を含む水改質材を配置し、水道水をタンク通過中に、電気石により帯電、電気分解、水改質させて送水することにより、高い洗浄効果が得られる旨記載されている。
【特許文献１】
特開平８−３０２３９５号公報
【特許文献２】
特開２０００−３２５９６４号公報
【０００５】
【考案が解決しようとする課題】
雨降りの際の自動車運転にあっては、フロントガラスに付着した油膜が視界を悪化させ、事故の原因となるおそれがある。この油膜は、通常の洗浄液では容易にとれにくく、特許文献１に記載の洗浄液のみではその洗浄除去は十分とはいえない。また特許文献２に記載の構造は、車体全体を洗浄するものであり、運転時に付着した油膜を除去する装置ではない。
【０００６】
本考案は、このような事情に鑑みてなされたものであり、ガラスに付着した油膜をワイパー駆動により、より確実に除去できるガラス洗浄液改質装置を提供するものである。
【０００７】
【課題を解決するための手段】
本考案（請求項１）は、自動車のウィンドガラスを洗浄するための洗浄液改質装置であって、一端側がウォッシャータンクの洗浄液供給口に係止される細長い屈曲可能な係止体と、上記ウォッシャータンク内に収納され上記係止体の他端側に連結された通水性袋体と、該袋体内に収容された粒状電気石とからなり、上記袋体が上記ウォッシャータンクの洗浄液に浸漬されて使用されるものである。かかる構成において、電気石は洗浄液に浸漬されることにより、洗浄液の水成分をイオン化し、活性化して、油分解作用を生じ、ウィンドガラス表面に噴出されてガラス表面に付着した油を分解する。
【０００８】
本考案（請求項２）において、上記係止体は屈曲可能な針金よりなる。かかる構成において、針金は、指で適当な長さに伸縮調整して一端をウォッシャータンクの洗浄液供給口に係止し、他端に連結した電気石を収納した袋体をタンクの低部に位置させ、洗浄液が少なくなっても袋体は最後まで浸漬状態とされる。
【０００９】
本考案（請求項３）において、上記袋体は不織布、織布またはメッシュよりなる。かかる構成であれば、洗浄液は袋体を自由に通過し、電気石に接触し、帯電、イオン化される。
【００１０】
【考案の実施の形態】
以下、本考案の好ましい実施の形態を図面を参照して説明する。
図１、２において、１は、洗浄液改質装置であって、適当な長さ（数１０ｃｍ）の細長い屈曲可能な係止体、例えば針金２と、通水性袋体３と、この袋体３内に収容された多数の粒状電気石４とならなる。袋体３は、洗浄液が通過できかつ内部の電気石がその隙間を通って抜け出ない構造であり、適度の可撓性を備えており、不織布、織布またはメッシュ等が適している。袋体３は細長く構成され、中間部分の直径は約１〜２ｃｍ、全長は約７〜８ｃｍである。５は、袋体３を袋状に縫い合わせた縫い目を示す。
【００１１】
電気石４は粒状（大きさ数ｍｍ程度）に粉砕されたものであり、洗浄液中の水分子を電気分解しＯＨ￣イオン及びＯＨラジカルを発生させ、これが油、脂肪分を分解するのである。袋体３は上端のみ開放構造とされ、ここから電気石４が入れられて、針金２を巻きつけて、両者連結される同時に閉じられる。
【００１２】
かかる構成の洗浄液改質装置１は、図３に示すように、針金２の一端側がウォッシャータンク６の洗浄液供給口７に係止される。例えば図示するように、針金２は供給口７を閉鎖するキャップ８の連結部９に引っ掛けて固定される。針金２の他端側は適当に伸ばされて、袋体３がウォッシャータンク６の底部に位置せしめられる。１０は、このタンク６内に満たされた洗浄液であり、この種ウィンドガラス用として市販されている界面活性剤を混入した一般的な洗浄液が使用できる。また洗浄液としては、洗剤を含まない水道水等の水も使用できる。１１は、送水パイプ、１２はこのパイプ１１に取りつけられポンプで、洗浄液１０を適度な水圧でフロントウィンドガラス表面へ噴出させる。
【００１３】
電気石は洗浄液に浸漬されることにより、洗浄液の水成分をイオン化し、活性改質化して、油分解作用を生じる。改質化された洗浄液は、ウィンドガラス表面に噴出されてワイパー駆動によりガラス表面に付着した油と接触しこれを分解する。
【００１４】
【考案の効果】
本発明によれば、ウォッシャータンク内の洗浄液に電気石を浸漬しておくことにより、洗浄液の水分子を電気分解してイオン化し、活性化することにより油分の分解を効果的に行うものである。それゆえウィンドガラスに付着した油膜をワイパー駆動により洗浄除去することができ、視界を明瞭にし事故発生の危険を防止するという効果を奏する。
【図面の簡単な説明】
【図１】本考案にかかるガラス洗浄液改質装置を示す正面図である。
【図２】図１のＡ−Ａ線断面図図である。
【図３】ガラス洗浄液改質装置をウォッシャータンクに取りつけた状態を示す断面図である。
【符号の説明】
１　ガラス洗浄液改質装置
２　針金
３　袋体
４　電気石
６　ウォッシャータンク
１０　洗浄液
１２　ポンプ
【図１】
0003097914.tif 000003
【図２】
0003097914.tif 000004
【図３】
0003097914.tif 000005